(57)【要約】【課題】腕金に極めて容易に取り付けることができるようにした電柱用営巣防止具を提供する。【解決手段】本発明の電柱用の営巣防止具は、鉛直姿勢の幹体１１に多数の枝棒を設けたバリアー部１０と、該バリアー部１０の幹体１１の基端部１３を挿入する挿入口２３を設けた本体部２１及び電柱用の腕金１に形成された穿孔部１ａに嵌入される係止部２２を有する取付部２０とが備えられている。前記バリアー部１０の幹体１１の基端部１３と前記取付部２０の挿入口２３とには、それぞれ係合する突起１４，２４が設けられている。前記係止部２２は、先端側に膨出部を設けた先割れ形状とされている。また、電柱用の腕金１の穿孔部１ａの形状が長孔である場合に、前記係止部２２は、前記穿孔部１ａの大きさに合わせた細長い突条とされ、かつ、本体部と一体に形成されている。【選択図】図１
2008178353.tif 000002
【特許請求の範囲】
【請求項１】
鉛直姿勢の幹体に多数の枝棒を設けたバリアー部と、
該バリアー部の幹体の基端部を挿入する挿入口を設けた本体部及び電柱用の腕金に形成された穿孔部に嵌入される係止部を有する取付部とが備えられていることを特徴とする電柱用の営巣防止具。
【請求項２】
前記バリアー部の幹体の基端部と前記取付部の挿入口とには、それぞれ係合する突起が設けられていることを特徴とする請求項１に記載の電柱用の営巣防止具。
【請求項３】
前記バリアー部の幹体に形成された突起は、基端側から先端側に向けて傾斜する斜面と、該斜面の突出端に連続し、幹体に直角方向に設けられた係止面とを有する鋸歯形状であり、
前記取付部の挿入口に形成された突起は、開口側から奥側に向けて傾斜する斜面と、該斜面の突出端に連続し、挿入口の内側面に直角方向に設けられた係止面とを有する鋸歯形状であることを特徴とする請求項２に記載の電柱用の営巣防止具。
【請求項４】
前記係止部は、先端側に膨出部を設けた先割れ形状とされていることを特徴とする請求項１から３のいずれか１項に記載の電柱用の営巣防止具。
【請求項５】
電柱用の腕金の穿孔部の形状が長孔である場合に、前記係止部は、前記穿孔部の大きさに合わせた細長い突条とされ、かつ、本体部と一体に形成されていることを特徴とする請求項１から４のいずれか１項に記載の電柱用の営巣防止具。
【請求項６】
電柱用の腕金の穿孔部の形状が丸孔である場合に、前記係止部は、円形の突起に形成され、前記本体部に電柱用の腕金の一対の側面を挟むホルダーが突設されていることを特徴とする請求項１から４のいずれか１項に記載の電柱用の営巣防止具。
【請求項７】
前記本体部と係止部とは、別体とされ、
前記係止部には、基端側に平板状の基盤が設けられ、
前記本体部には、前記係止部の基盤を収納する凹部が設けられ、該凹部には係止部の基盤の両端部を挟むアリ溝と、該収納された係止部を脱抜させないようにする爪部とが形成されていることを特徴とする請求項６に記載の電柱用の営巣防止具。
【請求項８】
前記凹部は、複数並列して設けられていることを特徴とする請求項７に記載の電柱用の営巣防止具。
【請求項９】
前記凹部は、係止部の基盤を挿入するインサート部と、本体部の長さ方向に設けられたスライド部とが連続して形成されていることを特徴とする請求項７に記載の電柱用の営巣防止具。
【発明の詳細な説明】
【技術分野】
【０００１】
本発明は、電柱用の腕金に鳥類等が営巣することができないようにした電柱用の営巣防止具に関し、詳しくは、鉛直姿勢の幹体に多数の枝棒を設けたバリアー部を備えている電柱用の営巣防止具に関する。
【背景技術】
【０００２】
カラスなどの鳥類が電柱用の腕金（以下、主として「腕金」という。）に営巣することがある。従来は、小枝などの絶縁体によって営巣されていたが、近年は、ワイヤーハンガーのような導電体によって営巣されることがある。導電体が電線に接触すると、ショートし、停電などの事故を引き起こす。
【０００３】
このため、ワイヤーハンガーなどによっても営巣することができないようにした鳥害防止具が特許文献１に開示されている。この鳥害防止具は、図１０に示すように、丸棒状で電気絶縁性の幹体１１０と複数の電気絶縁性の枝体１２０とが組み合わされている。幹体１１０は、腕金１にクランプ１００を介してほぼ鉛直に支持される。また、枝体１２０は、円筒状の取付基部１２１の外周に１本の枝棒１２２を斜め下向きに固着している。そして、この鳥害防止具は、幹体１１０に複数の取付基部１２１が外嵌され、枝棒１２２が放射状に拡がって支持されている。この鳥害防止具によれば、幹体１１０が腕金１に鉛直に支持され、複数の枝体１２０の枝棒１２２が斜め下向きに放射状に拡がっていることにより、鳥類が腕金１に止まることができず、したがって営巣することができない。
【０００４】
【特許文献１】特開２００５−１１０５７１号公報
【発明の開示】
【発明が解決しようとする課題】
【０００５】
特許文献１に開示された鳥害防止具は、幹体１１０を支持するクランプ１００を腕金１に取り付けなければならない。しかし、クランプ１００は、角筒体１０１が腕金１を外嵌し、固定手段（図示せず）によって固定して取り付けられるため、高所作業車などが必要となる。したがって、この鳥害防止具を腕金１に取り付ける作業は、面倒なものとなり、この鳥害防止具を汎用することができない。
【０００６】
そこで、本発明は、腕金に極めて容易に取り付けることができるようにした電柱用営巣防止具を提供することを課題とする。
【課題を解決するための手段】
【０００７】
本発明に係る電柱用の営巣防止具は、鉛直姿勢の幹体に多数の枝棒を設けたバリアー部と、該バリアー部の幹体の基端部を挿入する挿入口を設けた本体部及び電柱用の腕金に形成された穿孔部に嵌入される係止部を有する取付部とが備えられていることを特徴としている。
【０００８】
この電柱用の営巣防止具によれば、取付部の係止部を電柱用の腕金に形成された穿孔部に挿入するだけで、電柱用の営巣防止具を電柱用の腕金に極めて簡単に取り付けることができる。また、取付部の本体部に設けられた挿入口に、バリアー部の幹体の基端部を挿入することにより、バリアー部と取付部とが一体化され、このバリアー部の幹体に設けられた多数の枝棒により、鳥類などが腕金に止まって営巣することができない。
【０００９】
また、前記本発明に係る電柱用の営巣防止具において、前記バリアー部の幹体の基端部と前記取付部の挿入口とには、それぞれ係合する突起が設けられていることが好ましい。
【００１０】
この電柱用の営巣防止具によれば、取付部の挿入口内にバリアー部の幹体の基端部が挿入されると、バリアー部の幹体に形成された突起と取付部の挿入口に形成された突起とが係合する状態となり、バリアー部の幹体が取付部の挿入口から脱抜しないようにすることができる。
【００１１】
また、前記本発明に係る電柱用の営巣防止具において、前記バリアー部の幹体に形成された突起は、基端側から先端側に向けて傾斜する斜面と、該斜面の突出端に連続し、幹体に直角方向に設けられた係止面とを有する鋸歯形状であり、前記取付部の挿入口に形成された突起は、開口側から奥側に向けて傾斜する斜面と、該斜面の突出端に連続し、挿入口の内側面に直角方向に設けられた係止面とを有する鋸歯形状であることが好ましい。
【００１２】
この電柱用の営巣防止具によれば、バリアー部の幹体に鋸歯形状の突起が形成され、また、取付部の挿入口に鋸歯形状の突起が形成され、それぞれ斜面が設けられていることにより、バリアー部の幹体を取付部の挿入口に挿入しやすくなる一方、各突起に直角方向に係止面が設けられていることにより、挿入口に挿入された幹体を絶対に脱抜することができないようにすることができる。
【００１３】
また、前記本発明に係る電柱用の営巣防止具において、前記係止部は、先端側に膨出部を設けた先割れ形状とされていることが好ましい。
【００１４】
この電柱用の営巣防止具によれば、係止部が先割れ形状とされていることにより、離隔している膨出部が近接するように撓みながら穿孔部を通過し、穿孔部を通過した膨出部が離隔した元の状態に戻って穿孔部内に挿入される。この膨出部が穿孔部の内側周面に当接し、係止部は穿孔部から抜け出ることがない。
【００１５】
また、前記本発明に係る電柱用の営巣防止具において、電柱用の腕金の穿孔部の形状が長孔である場合に、前記係止部は、前記穿孔部の大きさに合わせた細長い突条とされ、かつ、本体部と一体に形成されていることが好ましい。
【００１６】
この電柱用の営巣防止具によれば、前記係止部が電柱用の腕金に形成された長孔の穿孔部の大きさに合わせられていることにより、この係止部を電柱用の腕金の穿孔部に嵌入すると、この電柱用の営巣防止具を回転したり、位置ずれしたりすることがないようにすることができる。また、係止部は、細長い突条とされ、取付位置を調整することがないため、本体部とが一体に形成することができる。
【００１７】
また、前記本発明に係る電柱用の営巣防止具において、電柱用の腕金の穿孔部の形状が丸孔である場合に、前記係止部は、円形の突起に形成され、前記本体部に電柱用の腕金の一対の側面を挟むホルダーが突設されていることが好ましい。
【００１８】
この電柱用の営巣防止具によれば、電柱用の腕金に形成された丸孔の穿孔部に嵌入する係止部が円形の突起とされるが、本体部に形成されたホルダーが電柱用の腕金の一対の側面を挟むことにより、取付部が係止部を軸にして回転しないように電柱の腕金に取り付けることができる。
【００１９】
また、電柱用の腕金の穿孔部の形状が丸孔である場合の前記本発明に係る電柱用の営巣防止具において、前記本体部と係止部とは、別体とされ、前記係止部には、基端側に平板状の基盤が設けられ、前記本体部には、前記係止部の基盤を収納する凹部が設けられ、該凹部には係止部の基盤の両端部を挟むアリ溝と、該収納された係止部を脱抜させないようにする爪部とが形成されていることが好ましい。
【００２０】
この電柱用の営巣防止具によれば、本体部と係止部とが別体とされることにより、係止部が折損などしても、係止部を交換して使用し続けることができる。そして、本体部には、係止部に設けられた基盤を収納する凹部が形成され、この凹部には、係止部の基端側に設けられた基盤の両側を挟むアリ溝が形成されているため、係止部の基盤は、凹部内に嵌め込みやすく、また、爪部が形成されているため、収納された係止部が脱抜しないようにすることができる。
【００２１】
また、電柱用の腕金の穿孔部の形状が丸孔である場合の前記本発明に係る電柱用の営巣防止具において、前記凹部は、複数並列して設けられていることが好ましい。
【００２２】
この電柱用の営巣防止具によれば、係止部が円形の突起に形成される場合は、係止部が本体部よりも狭い幅とされるため、本体部に複数の凹部を形成することができる。複数の凹部から一つの凹部を選択することにより、係止部を本体部の中心だけでなく、片側に返信させた位置とすることができ、この電柱用の営巣防止具を電柱用の腕金に固定する位置を調整することができる。
【００２３】
また、電柱用の腕金の穿孔部の形状が丸孔である場合の前記本発明に係る電柱用の営巣防止具において、前記凹部は、係止部の基盤を挿入するインサート部と、本体部の長さ方向に設けられたスライド部とが連続して形成されていてもよい。
【００２４】
この電柱用の営巣防止具によれば、凹部が縦方向のインサート部と横方向のスライド部とを連続して形成したものとされていることにより、係止部をインサート部から挿入し、スライド部内の任意の位置に移動し、この電柱用の営巣防止具を電柱用腕金に取り付ける位置を微調整することができる。
【発明の効果】
【００２５】
本発明によれば、電柱用の営巣防止具が、鉛直姿勢の幹体に多数の枝棒を設けたバリアー部と、電柱用の腕金に固定される取付部とを備え、取付部が前記バリアー部の基端部を挿入する挿入口と、電柱用の腕金に形成された穿孔部に嵌入される係止部を有していることにより、この電柱用の営巣防止具を電柱用の腕金に極めて容易に取り付けることができる。したがって、この電柱用の営巣防止具をどこの電柱用の腕金にでも取り付け、鳥類が電柱用の腕金に営巣できないようにすることにより、停電などの事故を防止することができる。
【発明を実施するための最良の形態】
【００２６】
本発明に係る電柱用の営巣防止具（以下、「営巣防止具」という。）の第１の実施形態について図１ないし図５を参照しながら説明する。この営巣防止具は、穿孔部１ａを形成した電柱用の腕金（以下、「腕金」という。）１に取り付けられるもので、バリアー部１０と取付部２０とを備えている。なお、第１の実施形態の営巣防止具を取り付ける腕金１の穿孔部１ａは、腕金１の鉛直側の側面に細長く長孔に形成されている。
【００２７】
バリアー部１０は、鉛直姿勢の幹体１１に多数の枝棒１２を設けたもので、錆びたり感電したりしない硬質樹脂などによって成形される。幹体１１は、図示したような角柱形以外に、円柱形などであってもよい。いずれにしても、幹体１１の基端部１３には、１か所又は一対、好ましくは複数対の突起１４が設けられている。この突起１４は、基端（図面において下）側から先端（図面において上）側に向けて傾斜する斜面１４ａと、この斜面１４ａの突出端に連続し、幹体１１に直角方向に設けられた係止面１４ｂとを有している。したがって、複数対の突起１４は、鋸歯形状に形成される。
【００２８】
一方、枝棒１２は、図示したように幹体１１の複数（図面では４か所）の部位から放射状に複数本（図面では８本）突出したもので、各枝棒１２は、図１及び図２に示すように下向きとすることにより、小枝やワイヤーハンガーなどが引っ掛からないようにされている。
【００２９】
ただし、枝棒１２は、図３に示すように上向きに突出させたり、図４に示すように枝垂（しだ）れるように突出させたり、形状を限定するものではない。また、枝棒１２は、複数の部位から突出するのではなく、螺旋状に突出させてもよい。
【００３０】
そして、第１の実施形態における取付部２０は、腕金１とほぼ同じ幅の本体部２１と、腕金１に形成された穿孔部１ａに嵌入される係止部２２とを硬質樹脂によって一体成形している。そして、係止部２２を形成していない背面側の本体部２１には、バリアー部１０の幹体１１の基端部１３を挿入する挿入口２３が設けられている。挿入口２３は、この幹体１１の形状に合わせて角筒形状とされている。また、挿入口２３は、本体部２１の背面から突出して複数列（図面では３列）設けられている。
【００３１】
この挿入口２３には、前記バリアー部１０の幹体１１に設けられた突起１４に係合する突起２４が設けられている。したがって、バリアー部１０の幹体１１の突起１４が鋸歯形状であると、挿入口２３の突起２４も鋸歯形状とされる。この挿入口２３の突起２４は、斜面２４ａが開口側から奥側に向けて傾斜し、係止面が斜面２４ａの奥側の突出端から幹体１１に対して直角に突出している。なお、バリアー部１０の幹体１１の突起１４が１か所又は一対だけ形成される場合は、挿入口２３の突起２４も１か所又は一対だけ形成してもよいが、鋸歯形状としてもよい。いずれにしても挿入口２３には、バリアー部１０の幹体１１の基端部１３の端面を支承する底板２５が設けられている。
【００３２】
そして、係止部２２は、腕金１の穿孔部１ａとほぼ同じ大きさに細長く形成され、先端側に膨出部２６を設けた先割れ形状とされている。膨出部２６は、尖端形状とされ、基端側との境界に係止面２６ａが形成されている。また、膨出部２６が先割れ形状とされることにより、弾性変形し、分離している膨出部２６を近接・離隔することができる。
【００３３】
また、本体部２１の底面には、間接活線工具に保持される被クランプ部２７が設けられている。被クランプ部２７は、係止部２２の中心に力が加えられるように、本体部２１の中心に設けられている。
【００３４】
ここで、第１の実施形態における営巣防止具の使用方法について説明する。まず、バリアー部１０の幹体１１の基端部１３を図２ないし図４に示すように、取付部２０の挿入口２３内に挿入する。挿入口２３が複数列設けられていることから、状況に応じて、最適の挿入口２３を選択する。また、突起１４，２４に斜面１４ａ,２４ａが形成されていることから、バリアー部１０の幹体１１の基端部１３は取付部２０の挿入口２３内にスムーズに挿入される。そして、この基端部１３が挿入口２３内に完全に挿入されると、基端部１３の端面が挿入口２３の底板２５に当接し、バリアー部１０の基端部１３が挿入口２３内に保持された状態で底板２５に支承される。また、両突起１４，２４の係止面１４ｂが当接することにより、バリアー部１０の基端部１３は挿入口２３内から脱抜することがない。
【００３５】
そして、作業者が間接活線工具を使用して本体部２１の被クランプ部２７を保持し、取付部２０の膨出部２６を腕金１の穿孔部１ａ内に挿入する。このとき、取付部２０は、先割れ形状とされているため、尖端側が近接し、また膨出部２６が圧縮されるように弾性変形した状態から、膨出部２６が腕金１の穿孔部１ａ内に嵌入され、図５に示すように営巣防止具の正面が腕金１に当接した状態に一体化される。膨出部２６の係止面２６ａが腕金１の穿孔部１ａの内壁に当接することにより、膨出部２６が穿孔部１ａから脱抜することがない。
【００３６】
このようにして、営巣防止具は、極めて簡単に腕金１に取り付けることができる。この営巣防止具は、バリアー部１０の幹体１１に設けられた枝棒によって鳥類が腕金１に止まることができず、したがって、腕金１に営巣されることを防止することができる。
【００３７】
次に、本発明に係る営巣防止具の第２の実施形態について図６ないし図９を参照しながら説明する。この第２の実施形態における営巣防止は、腕金１に形成された穿孔部１ｂが丸孔である場合に使用する。
【００３８】
第２の実施形態のバリアー部１０も、第１の実施形態と同じく、鉛直姿勢の幹体１１に多数の枝棒１２を設けたもので、枝棒１２は、図６に示すように下方に放射状に突出させることが好ましいが、図３に示すように上向きに突出させたり、図４に示すように枝垂れるように突出させたり、あるいは、螺旋状に突出させてもよい。いずれにしても、幹体１１の基端部１３には、突起１４が形成されている。
【００３９】
そして、第２の実施形態における取付部２０は、本体部３０と係止部４０とが別体とされている。本体部３０には、バリアー部１０の基端部１３を挿入する挿入口３１が設けられ、この挿入口３１にも突起３２と底板３３が設けられている。しかし、第２の実施形態における係止部４０は、第１の実施形態と異なり、正面視で正方形の平板からなる基盤４１と、この基盤４１の正面側に突出した円柱状の軸部４２と、この軸部４２の先端側に設けられた膨出部４３とが一体成形されている。
【００４０】
一方、本体部３０には、図７に示すように、係止部４０の基盤４１を収容する凹部３４が腕金１と対向する正面側に形成されている。したがって、凹部３４は、係止部４０の基盤４１の幅と同じとされ、凹部３４の底部が係止部４０の基盤４１を支承する。そして、凹部３４の両側には、係止部４０の基盤４１の両端部を挟む一対のアリ溝３６が形成されている。係止部４０の基盤４１の両端部が一定の厚さの平板状であるため、アリ溝３６は断面がコ字形とされている。
【００４１】
そして、アリ溝３６には、収納された係止部４０の基盤４１の両端部の上端面を衝止する爪部３７が設けられている。この爪部３７は、凹部３４の上側から下側に傾斜する斜面と、下側の突出端に連続し、アリ溝３６の側面に対して直角に突出する係止面とが形成されている。このような凹部３４は、複数（図６では３列）並列して形成され、係止部４０を本体部３０に固定する位置を３か所から選択することができるようにされている。
【００４２】
この凹部３４の変形例として、図８に示すように、インサート部３４ａとスライド部３４ｂとを連続して形成してもよい。インサート部３４ａは、本体部３０の上面側から底面の方へ形成され、スライド部３４ｂは、インサート部３４ａの底部３５から横方向へ形成されている。インサート部３４ａもスライド部３４ｂも、収納された係止部４０の基盤４１が外れないように嵌め込むための一対のアリ溝３６が形成されている。また、スライド部３４ｂには、嵌め込まれた係止部４０の基盤４１が移動しないようにするための、ストッパ（図示せず）が複数箇所に設けられている。したがって、係止部４０を本体部３０に固定する位置を微調整することができる。
【００４３】
なお、図示しないストッパは、例えば、本体部３０に連続して形成した多数のピン孔と、基盤４１に形成したピン孔と、両ピン孔が連通した状態で挿通するピントによって構成することができる。
【００４４】
いずれにしても、係止部４０の膨出部４３は、尖端形状に形成されているため、この膨出部４３が腕金１の穿孔部１ｂに挿入されただけでは、本体部３０が回転してしまう。そこで、本端部の正面側に、腕金１の上下両側面を挟むホルダー３８が突設されている。ホルダー３８は、本体部３０の凹部３４を塞がないように例えば４対櫛歯状に突設されている。このホルダー３８は、腕金１の上下両面を挟みやすくするため、図５の仮想線に示すように先端側をわずかに拡開することが好ましい。なお、ホルダー３８は、本体部３０の全幅を挟むように平板状に形成してもよい。
【００４５】
また、本体部３０の底面には、間接活線工具に保持される被クランプ部３９が凹部３４に合わせて、複数箇所（図面では３か所）に設けられている。この取付部２０は、係止部４０を取り付ける位置を選択することができるため、係止部４０を固定した位置に近いで間接活線工具が被クランプ部３９を保持することができるように、各凹部３４の下側、すなわち複数箇所（図面では３か所）に設けられている。
【００４６】
ここで、第２の実施形態における営巣防止具の使用方法について説明する。まず、バリアー部１０の幹体１１の基端部１３を、図２又は図３、図４に示すように、取付部２０の選択した挿入口３１内に挿入する。基端部１３の端面が挿入口３１の底板３３に当接すると、基端部１３の突起１４と挿入口３１の突起３２とが係合する状態となり、基端部１３が挿入口３１から脱抜しない状態となる。
【００４７】
そして、図６及び図７に示す取付部２０を使用する場合は、係止部４０を取付部２０に固定する凹部３４を選択し、係止部４０の基盤４１の両端部をアリ溝３６内に嵌め込む。また、図８に示す取付部２０を使用する場合は、係止部４０をスライド部３４ｂの所定の位置に固定する。
【００４８】
次に、間接活線工具が係止部４０を固定した付近の被クランプ部３９を保持し、ホルダー３８が腕金１を挟むように取付部２０を腕金１に近接させる。そして、係止部４０の膨出部４３が腕金１の穿孔部１ｂに完全に嵌入されると、図９に示すように、この営巣防止具が腕金１に外れないように取り付けられる。このようにして、営巣防止具は、極めて簡単に腕金１に取り付けることができる。しかも、ホルダー３８が腕金１を挟んでいるため、営巣防止具が係止部４０を回転軸として回転することがない。そして、この営巣防止具は、バリアー部１０の幹体１１に設けられた枝棒によって鳥類が腕金１に止まることができず、したがって、腕金１に営巣されることを防止することができる。
【００４９】
なお、本発明は、前記の実施形態に限定することなく、特許請求の範囲に記載された発明特定事項の範囲内において種々変更することができる。例えば、第２の実施形態のように、係止部４０が円柱状の軸部４２と膨出部４３とによって構成される場合であっても、係止部４０と本体部３０とを一体に形成してもよい。また、バリアー部１０の幹体１１の基端部１３と取付部２０，２０の挿入口２３，３１とが密着し、この基端部１３が挿入口２３，３１から脱抜しない場合は、突起１４，２４，３２を設けなくてもよい。この場合は、バリアー部１０の幹体１１の基端部１３は円柱状とし、挿入口２３，３１は円筒状としてもよい。
【図面の簡単な説明】
【００５０】
【図１】本発明に係る電柱用営巣防止具の第１の実施形態を示す斜視図である。
【図２】本発明に係る電柱用営巣防止具の第１の実施形態を示す一部分の一部断面背面図である。
【図３】本発明に係る電柱用営巣防止具の第１の実施形態の変形例を示す一部分の一部断面背面図である。
【図４】本発明に係る電柱用営巣防止具の第１の実施形態のさらに異なる変形例を示す一部分の一部断面背面図である。
【図５】本発明に係る電柱用営巣防止具の第１の実施形態を示す一部断面側面図である。
【図６】本発明に係る電柱用営巣防止具の第２の実施形態を示す斜視図である。
【図７】本発明に係る電柱用営巣防止具の第２の実施形態を示す正面図である。
【図８】本発明に係る電柱用営巣防止具の第２の実施形態の変形例を示す正面図である。
【図９】本発明に係る電柱用営巣防止具の第２の実施形態を示す一部断面側面図である。
【図１０】従来の鳥害防止具の斜視図である。
【符号の説明】
【００５１】
１………（電柱用の）腕金
１ａ……穿孔部
１ｂ……穿孔部
１０……バリアー部
１１……幹体
１２……枝棒
１３……基端部
１４……突起
１４ａ…斜面
１４ｂ…係止面
２０……取付部
２１……本体部
２２……係止部
２３……挿入口
２４……突起
２６……膨出部
３０……本体部
３１……挿入口
３２……突起
３４……凹部
３４ａ…インサート部
３４ｂ…スライド部
３６……アリ溝
３７……ホルダー
４０……係止部
４１……基盤
４３……膨出部
【図１】
2008178353.tif 000003
【図２】
2008178353.tif 000004
【図３】
2008178353.tif 000005
【図４】
2008178353.tif 000006
【図５】
2008178353.tif 000007
【図６】
2008178353.tif 000008
【図７】
2008178353.tif 000009
【図８】
2008178353.tif 000010
【図９】
2008178353.tif 000011
【図１０】
2008178353.tif 000012